(57)【要約】      （修正有）【課題】狭い場所でも使用でき、施工時間が短縮出来て、費用も安価になる比較的深度の浅い地中井を掘削する回転ノズルを提供する。【解決手段】外筒１に取付ネジ３で取り付けられた底板２には、上部に、スイーベル４とその軸の回転軸駆動用エアーモーター５が乗ったギヤーケース１０が取り付けられており、同ギヤーケース１０の内部で駆動用歯車Ａ８、Ｂ歯車９で噛み合って連結され、さらに、下部に、スイーベル４の回転軸接続部７に、複数個の高圧水噴射ノズル１７が埋め込まれたスプレーバー６が取り付けられ、さらに、同底板２には、ギヤーケース１０の両側に位置した、掘削屑の排出用の２個の排出口１４を有して構成されたことを特徴とする。【選択図】図１
0003151222.tif 000002
【実用新案登録請求の範囲】
外筒（１）に取付ネジ（３）で取り付けられた底板（２）には、上部に、スイーベル（４）とその軸の回転軸駆動用エアーモーター（５）が乗ったギアーケース（１０）が取り付けられており、同ギヤーケース（１０）の内部で駆動用歯車Ａ（１０），Ｂ歯（１０）で噛み合って連結され、さらに、下部に、スイーベル（４）の回転軸接続部（７）に、複数個の高圧水噴射ノズル（１７）が埋め込まれたスプレーバー（６）が取り付けられ、されに、同底板（２）には、ギヤーケース（１０）の両側に位置した、掘削屑の排出用の２個の排出口（１４）を有して構成されたことを特徴とする高圧水による地中井掘削用回転ノズル
【考案の詳細な説明】
【考案の詳細な説明】
【産業上の利用分野】
【０００１】本考案は、高圧水を用いて、地中井を掘削する機器に関する
【背景技術】
【０００２】鋼管の先に掘削用金属ビットが取り付けられた掘削工具をモーター等動力で回転させながら、地中に降ろしつつ、地盤を掘削するいわゆる、ボーリングマシンによる地中井掘削法が専ら行われている。
設備が大型となり、施工時間がかかり、費用も相当高額になる。
【考案が解決しようとする課題】
【０００３】従来のボーリングマシンによる方法は、地熱発電用等の高深度の地中井を掘削する場合には、工法として利用価値があるが、今回、当考案が解決しようとする課題は、比較的深度の浅い地中井を対象に、高圧水を用いた回転ノズルにより、狭いところでも使用でき、施工時間を短縮し、低価格にて、地中井を掘削する装置を提供する。
【課題を解決するための手段】
【０００４】（１）  上記の目的を達成するための本考案の構成を、実施例に対応する第１図を用いて説明すると、円筒状で上部に吊フック（１５）と後述する開口部（１８）を持った外筒（１）の下部に底板（２）を取り付けネジ（３）で側壁に直角に止め付ける。
（２）  この底板（２）の上部には、底部にギヤーケース（１０）を持ったスイーーベル（４）と同スイーベル回転軸駆動用のエアーモーター（５）が乗って設置され、互いに、ギオヤーケース（１０）内で、歯車Ａ（８），歯車Ｂ（９）が噛み合っている。
（３）  スイーベル（４）の回転軸は、底板（２）の中心部で下部にのぞいており、その下部に取り付けられる複数個のノズル（１７）が埋め込めこまれたスプレーバー（６）が接続部（７）でネジにより接続され、スイーベル（４）の回転軸と一体となっている。
（４）  スプレーバー（７）の内部には、高圧水の通路があり、スイーベル（４）の回転軸内部の高圧水通路と通じており、さらに、高圧水噴射ノズル（１７）に内部で通じている。
（５）  高圧水噴射ノズル（１７）はスプレーバー（６）上に複数個下向きに設けられており、端部のものは、僅かながら、外向きに取り付けられている。
（６）  底板（２）のギヤーケース（１０）の取り付けられた両側には、掘削した破砕屑排出用の２個の開口部（１４）が開けられており、ホース等接続できるように、口金状になっている。
（７）  第２図に示すように、外筒（１）の頂部には、排出口（１４）に取り付けられたホース等が上部方向に通過できるように、開口部（１８）、また、スイーベル（４）の高圧水接続口（１１）に接続された高圧水ホースが上部に通過できるように高圧水通過口（１６）が設けられている。
（８）  エアーモーター（５）には、圧縮空気のエアー接続口（１２）及び、マフラー（１３）が備わっている。
（９）  エアーモーター（４）の代わりに、油圧モーターを使用することも出来る。
（１０）  歯車Ａ（８）および、歯車Ｂ（９）の代わりに、スプロケットとチェーンの組み合わせも可能である。
（１１）  スプレーバー（６）の代わりに、円盤または、蛸足状のノズル取り付け具を使用することも可能。
【作用】
【０００５】（１）  高圧水接続口（１１）より、スイーベル（４）に入った高圧水は同スイーベルの回転軸先端にある接続部（７）を経由し、ノズルバー（６）を通って、高圧水噴射ノズル（１７）に達し噴射される。
（２）  この際、ギヤーケース（１０）内にあるスイーベル（４）の回転軸に一体なって取り付けられている歯車Ａ（８）とそれに噛み合っているエアーモーター（５）の回転軸に一体になって取り付けられている歯車Ｂ（９）が、エアーモーター（５）に圧縮空気がエアー接続口（１２）より供給されることにより、回転し、スイーベル（４）の回転軸に接続部（７）で連結しているノズルバー（６）を回転させる。
消費された圧縮空気はマフラーラー（１３）より排出される。
（３）  その結果、高圧水噴射ノズル（１７）から高圧水が回転しながら噴射される。その結果、その下部の地中地盤が掘削され、破砕され、地中井が形成されていく。
（４）  スプレーバー（６）に付いている高圧水噴射ノズル（１７）の内、両端部のノズルが僅か外向きになっているため、ノズルバー（６）が回転した時、そのノズルの取り付け位置での回転径より僅か大きく掘削されることになり、外筒（１）が容易に通過するに可能な掘削径が得られる。
（５）  噴射された高圧水がその下にある地中地盤を破砕して掘削することになるが、上述の各器機を内包し、取り付けネジ（３）で取り付けられた外筒（１）を、その上部についている吊フック（１５）にワイヤーロープ等で地上より吊るし、地中に降ろしながら、順次、作業して、地中井を形成して行くことになる。
（６）  掘削によって生じた掘削屑は底板（２）に開けられた排出口（１４）から、そこに接続されたホース等で地上に回収される。
（７）  外筒（１）の上部にある高圧ホース通過口（１６）、および、開口部（１８）は、それぞれ、高圧水用ホース、排出口（１４）に接続された掘削屑取り出しホース等の通過口になる。
【実施例】
【０００６】図面により、上述の手段、作用にて説明した内容に一部補足して簡単に説明すると、
（１）  図１は当該考案の正面図で、当該考案品が地中に挿入された状態をあらわす。
（２）  図２は当該考案品の平面図をあらわす。
（３）  図３は当該考案品の側面図をあらわす。
（４）  図４は当該考案品の底面図をあらわす。
【考案の効果】
【０００７】（１）  外筒（１）を円筒状にしたのは掘削した地中井に追随して沿いながら垂直に上下移動し易い効果がある。
（２）  底板（２）の上下に取り付けられたスプレイバー（６）を回転する各機構・機器を底板（２）に取り付けネジ（３）で外筒（１）内部に取り付けたのは、それらの内部器具類を保護する効果がある。
（３）  取り付けネジ（３）を外せば、内部に取り付けられている機器が外部に取り出しが出来るため、メンテナンスに都合がよい。
【符号の説明】（１）は外筒、（２）は底板、（３）は取り付けネジ４個、（４）はスイーベル、（５）はエアーモーター、（６）はスプレーバー、（７）は接続部、（８）は歯車Ａ、（９）は歯車Ｂ、（１０）はギヤーケース、（１１）は高圧水接続口、（１２）はエアー接続口、（１３）はマフラー、（１４）は排出口２個、（１５）は吊フック２個、（１６）は高圧ホース通過口、（１７）は高圧水噴射ノズル複数個、（１８）は開口部２個
【図１】
0003151222.tif 000003
【図２】
0003151222.tif 000004
【図３】
0003151222.tif 000005
【図４】
0003151222.tif 000006
【手続補正書】
【提出日】平成21年3月14日(2009.3.14)
【手続補正１】
【補正対象書類名】実用新案登録請求の範囲
【補正対象項目名】全文
【補正方法】変更
【補正の内容】
【実用新案登録請求の範囲】
【請求項１】
外筒（１）に取付ネジ（３）で取り付けられた底板（２）には、上部に、スイーベル（４）とその軸の回転軸駆動用エアーモーター（５）が乗ったギヤーケース（１０）が取り付けられており、同ギヤーケース（１０）の内部で駆動用歯車Ａ（８）、Ｂ歯車（９）で噛み合って連結され、さらに、下部に、スイーベル（４）の回転軸接続部（７）に、複数個の高圧水噴射ノズル（１７）が埋め込まれたスプレーバー（６）が取り付けられ、さらに、同底板（２）には、ギヤーケース（１０）の両側に位置した、掘削屑の排出用の２個の排出口（１４）を有して構成されたことを特徴とする高圧水による地中井掘削用回転ノズル
【手続補正２】
【補正対象書類名】明細書
【補正対象項目名】全文
【補正方法】変更
【補正の内容】
【考案の詳細な説明】
【産業上の利用分野】
【０００１】本考案は、高圧水を用いて、地中井を掘削する機器に関する
【背景技術】
【０００２】鋼管の先に掘削用金属ビットが取り付けられた掘削工具をモーター等動力で回転させながら、地中に降ろしつつ、地盤を掘削するいわゆる、ボーリングマシンによる地中井掘削法が専ら行われている。設備が大型となり、施工時間がかかり、費用も相当高額になる。
【考案が解決しようとする課題】
【０００３】従来のボーリングマシンによる方法は、地熱発電用等の高深度の地中井を掘削するには、工法として利用価値があるが、今回、当考案が解決しようとする課題は、比較的深度の浅い地中井を対象に、高圧水を用いた回転ノズルにより、狭いところでも使用でき、施工時間を短縮し、低価格にて、地中井を掘削する装置を提供する。
【課題を解決するための手段】
【０００４】（１）  上記の目的を達成するための本考案の構成を、実施例に対応する第１図を用いて説明すると、円筒状で上部に吊フック（１５）と後述する開口部（１８）を持った外筒（１）の下部に底板（２）を取り付けネジ（３）で側壁に直角に止め付ける。
（２）  この底板（２）の上部には、底部にギヤーケース（１０）を持ったスイーーベル（４）と同スイーベル回転軸駆動用のエアーモーター（５）が乗って設置され、互いに、ギオヤーケース（１０）内で、歯車Ａ（８），歯車Ｂ（９）が噛み合っている。
（３）  スイーベル（４）の回転軸は、底板（２）の中心部で下部にのぞいており、その下部に取り付けられる複数個のノズル（１７）が埋め込めこまれたスプレーバー（６）が接続部（７）でネジにより接続され、スイーベル（４）の回転軸と一体となっている。
（４）  スプレーバー（７）の内部には、高圧水の通路があり、スイーベル（４）の回転軸内部の高圧水通路と通じており、さらに、高圧水噴射ノズル（１７）に内部で通じている。
（５）  高圧水噴射ノズル（１７）はスプレーバー（６）上に複数個下向きに設けられており、端部のものは、僅かながら、外向きに取り付けられている。
（６）  底板（２）のギヤーケース（１０）の取り付けられた両側には、掘削した破砕屑排出用の２個の開口部（１４）が開けられており、ホース等接続できるように、口金状になっている。
（７）  第２図に示すように、外筒（１）の頂部には、排出口（１４）に取り付けられたホース等が上部方向に通過できるように、開口部（１８）、また、スイーベル（４）の高圧水接続口（１１）に接続された高圧水ホースが上部に通過できるように高圧水通過口（１６）が設けられている。
（８）  エアーモーター（５）には、圧縮空気のエアー接続口（１２）及び、マフラー（１３）が備わっている。
（９）  エアーモーター（４）の代わりに、油圧モーターを使用することも出来る。
（１０）  歯車Ａ（８）および、歯車Ｂ（９）の代わりに、スプロケットとチェーンの組み合わせも可能である。
（１１）  スプレーバー（６）の代わりに、円盤または、蛸足状のノズル取り付け具を使用することも可能。
【作用】
【０００５】（１）  高圧水接続口（１１）より、スイーベル（４）に入った高圧水は同スイーベルの回転軸先端にある接続部（７）を経由し、ノズルバー（６）を通って、高圧水噴射ノズル（１７）に達し噴射される。
（２）  この際、ギヤーケース（１０）内にあるスイーベル（４）の回転軸に一体なって取り付けられている歯車Ａ（８）とそれに噛み合っているエアーモーター（５）の回転軸に一体になって取り付けられている歯車Ｂ（９）が、エアーモーター（５）に圧縮空気がエアー接続口（１２）より供給されることにより、回転し、スイーベル（４）の回転軸に接続部（７）で連結しているノズルバー（６）を回転させる。消費された圧縮空気はマフラーラー（１３）より排出される。
（３）  その結果、高圧水噴射ノズル（１７）から高圧水が回転しながら噴射される。その結果、その下部の地中地盤が掘削され、破砕され、地中井が形成されていく。
（４）  スプレーバー（６）に付いている高圧水噴射ノズル（１７）の内、両端部のノズルが僅か外向きになっているため、ノズルバー（６）が回転した時、そのノズルの取り付け位置での回転径より僅か大きく掘削されることになり、外筒（１）が容易に通過するに可能な掘削径が得られる。
（５）  噴射された高圧水がその下にある地中地盤を破砕して掘削することになるが、上述の各器機を内包し、取り付けネジ（３）で取り付けられた外筒（１）を、その上部についている吊フック（１５）にワイヤーロープ等で地上より吊るし、地中に降ろしながら、順次、作業して、地中井を形成して行くことになる。
（６）  掘削によって生じた掘削屑は底板（２）に開けられた排出口（１４）から、そこに接続されたホース等で地上に回収される。
（７）  外筒（１）の上部にある高圧ホース通過口（１６）、および、開口部（１８）は、それぞれ、高圧水用ホース、排出口（１４）に接続された掘削屑取り出しホース等の通過口になる。
【実施例】
【０００６】  図面により、上述の手段、作用にて説明した内容に一部補足して簡単に説明すると、
（１）  図１は当該考案の正面図で、当該考案品が地中に挿入された状態をあらわす。
（２）  図２は当該考案品の平面図をあらわす。
（３）  図３は当該考案品の側面図をあらわす。
（４）  図４は当該考案品の底面図をあらわす。
【考案の効果】
【０００７】（１）  外筒（１）を円筒状にしたのは掘削した地中井に追随して沿いながら垂直に上下移動し易い効果がある。
（２）  底板（２）の上下に取り付けられたスプレイバー（６）を回転する各機構・機器を底板（２）に取り付けネジ（３）で外筒（１）内部に取り付けたのは、それらの内部器具類を保護する効果がある。
（３）  取り付けネジ（３）を外せば、内部に取り付けられている機器が外部に取り出しが出来るため、メンテナンスに都合がよい。
【図面の簡単な説明】
【０００８】
【図１】は本考案の正面図で、地中に挿入された状態をあらわす。
【図２】は本考案の平面図をあらわす。
【図３】は本考案の右側面図をあらわす。
【図４】は本考案の底面図をあらわす。
【符号の説明】
【０００９】（１）は外筒、（２）は底板、（３）は取り付けネジ４個、（４）はスイーベル、（５）はエアーモーター、（６）はスプレーバー、（７）は接続部、（８）は歯車Ａ、（９）は歯車Ｂ、（１０）はギヤーケース、（１１）は高圧水接続口、（１２）はエアー接続口、（１３）はマフラー、（１４）は排出口２個、（１５）は吊フック２個、（１６）は高圧ホース通過口、（１７）は高圧水噴射ノズル複数個、（１８）は開口部２個